(57)【要約】【課題】ヤーンパッケージの高速解舒においてもパッケージが巻き崩れることがないヤーンパッケージを提供すること。【解決手段】ボビンと、該ボビンに巻き取られたガラスヤーンとからなるヤーンパッケージにおいて、該ヤーンパッケージの下端から全高の３０〜７０％が垂直の円筒状表面形状を有し、かつ残りの高さの表面が円錐台形状表面を有し、該円錐台形状の表面角度が、ボビンの垂直方向の巻き面に対して１４°以下であることを特徴とするヤーンパッケージ。【選択図】　図１
2004018207.tif 000002
【特許請求の範囲】
【請求項１】
ボビンと、該ボビンに巻き取られたガラスヤーンとからなるヤーンパッケージにおいて、該ヤーンパッケージの下端から全高の３０〜７０％が垂直の円筒状表面形状を有し、かつ残りの高さの表面が円錐台形状表面を有し、該円錐台形状の表面角度が、ボビンの垂直方向の巻き面に対して１４°以下であることを特徴とするヤーンパッケージ。
【請求項２】
前記円錐台形状の表面角度が、ボビンの垂直方向の巻き面に対して１３〜１４°である請求項１に記載のヤーンパッケージ。
【発明の詳細な説明】
【０００１】
【発明の属する技術分野】
本発明は、ヤーンパッケージに関し、さらに詳しくはヤーンパッケージからヤーンを解舒してガラスクロスなどを作製する際に、パッケージの巻き崩れ（解れ）が生じないヤーンパッケージに関する。
【０００２】
【従来の技術】
従来、ガラスヤーンは、繊維径数ミクロンのガラスフィラメントを集束したガラスストランドからなるガラスの糸であり、電気絶縁性、寸法安定性、耐熱性、耐薬品性、引張強度などに優れ、クロス、テープ、スリーブ、ゴム補強用コードなどの原糸に使用されている。
【０００３】
以上の如きガラスヤーンは次の如く作製されている。すなわち、ブッシングにおいて溶融されたガラスをブッシング底部に設けられた多数のオリフィスを通して流出させて延伸し、多数のガラスフィラメントを形成し、該多数のガラスフィラメントに集束液を塗布した後、複数個の集束器により集束し、複数本のガラスストランドに形成し、該複数本のストランドを巻き取り装置を構成している綾振り装置によって、コレットに装着された巻き取りチューブにそれぞれ巻き取ってケーキを形成する。そして撚糸機を用いて図２に示すように該ケーキからストランドをボビンに巻き戻して、撚りをかけてヤーンパッケージを得る。図２ａは巻き初めの状態を、そして図２ｂは巻き終りの状態を示している。
【０００４】
上記ヤーンパッケージは、図１に示すように、その下部が円筒状表面形状を有し、途中から頂部に向かってヤーンの巻き数が減少し、ヤーンパッケージの上部は円錐台形状表面に形成している。このようなヤーンパッケージから高速でヤーンを解舒し、ガラスクロスなどの製造に使用されている。
【０００５】
【発明が解決しようとする課題】
上記において、ヤーンパッケージを高速で解舒する際には、ヤーンパッケージを固定してヤーンパッケージの軸に対して平行方法にヤーンがバルーンを形成しながら引き出され、ガラスクロス用の織機などに供給されるが、この解舒の際に円滑にヤーンが引き出されずに、ヤーンの引き出しに伴ってヤーンパッケージを構成している複数の巻き数のヤーンが同時に引き出され、ヤーンパッケージの一部が巻き崩れて（解れて）ガラスクロスなどの製造が中断されるという、生産するうえでの致命的な問題が生ずる場合がある。
従って、本発明の目的は、ヤーンパッケージの高速解舒においてもパッケージが巻き崩れることがないヤーンパッケージを提供することである。
【０００６】
【課題を解決するための手段】
上記目的は以下の本発明によって達成される。すなわち、本発明は、ボビンと、該ボビンに巻き取られたガラスヤーンとからなるヤーンパッケージにおいて、該ヤーンパッケージの下端から全高の３０〜７０％が垂直の円筒状表面形状を有し、かつ残りの高さの表面が円錐台形状表面を有し、該円錐台形状の表面角度が、ボビンの垂直方向の巻き面に対して１４°以下であることを特徴とするヤーンパッケージを提供する。上記角度は１３〜１４°であることが好ましい。
【０００７】
【発明の実施の形態】
次に図面に示す好ましい実施の形態に基づいて本発明をさらに詳しく説明する。本発明のヤーンパッケージを、図１を参照して説明する。本発明のヤーンパッケージは、上記の通り、ヤーンパッケージの下端から全高の３０〜７０％が垂直の円筒状表面形状を有し、かつ残りの高さの表面が円錐台形状表面を有し、該円錐台形状の表面角度αが、ボビンの垂直方向の巻き面に対して１４°以下であることを特徴としている。この角度が１４°を超えると、ガラスクロスなどの製造に際してヤーンパッケージを解舒する際に、ヤーンパッケージの巻き崩れが生じる頻度が高くなる。特にヤーンを構成するストランドのフィラメント径の呼び径が７〜９μｍで、番手が２０〜７５テックスである場合には、この角度が１３°より小さくなると、巻き崩れは発生しないが、ボビンへの巻量が少なくなり、結果として、ヤーンの生産性が悪くなるので、好ましい角度は１３〜１４°である。
【０００８】
さらに詳しく説明すると、ヤーンパッケージを形成しているボビンの巻き取り部分の下端からの全高Ｌ１は、ボビンのサイズによって異なるが、一般的には２００〜４００ｍｍであり、この範囲においてヤーンがボビンに巻き取られている。巻き取り部分の直径Ｄ２は、ボビンのサイズによって異なるが、一般的には４０〜１００ｍｍである。ヤーンパッケージの巻き取り部分の下端からの全高Ｌ１のうち、円筒状表面形状を有する部分の高さＬ２は、Ｌ１の３０〜７０％の高さであり、円錐台形状表面を有する部分の高さＬ３は（Ｌ１−Ｌ２）である。ヤーンパッケージの直径Ｄ１は、ボビンのサイズによって異なるが、一般的には１００〜３００ｍｍである。
【０００９】
上記本発明のヤーンパッケージは、図２に示すようにして作製される。ガラスストランドからなるケーキのストランドの先端を、ボビンの上方に位置するセンターリングアイ（ラペットガイドとも呼ばれる）、およびリングの内側にフリーに走行するように設けられたトラベラーを通して、ボビンの表面に固定する（図２ａ）。このボビンは、スピンドルに着脱可能に装着し固定され、駆動ベルトまたはモーター駆動により高速回転しており、トラベラーがリングの内側を回転して走行することによってストランドに撚りがかけられて、ボビンに高速で巻き取られる（図２ｂ）。ボビンへの巻取り形状は、リングの上下動のパターンにより所望の形状に決定される。
【００１０】
また、リングの上下動および存在位置は、ギヤやカムによる機械的な制御、あるいはコンピューター制御によって自在に変更できるので、前記角度αは任意に設定可能である。本発明では、上記角度αを１４°以下、好ましくは１３〜１４°にすることによって本発明の目的を達成した。
【００１１】
【実施例】
次に実施例および比較例を挙げて本発明をさらに具体的に説明する。
＜実施例１および比較例１＞
ＪＩＳ　Ｒ　３４１３に規定するＥＣＧ７５のガラスヤーンを製造する撚糸機において、ストランドに撚りをかけながら、巻き取り部分の下端からの全高Ｌ１が３７０ｍｍ、円錐台形状表面を有する部分の高さＬ３が１８０ｍｍ、ボビンの垂直方向の巻き面に対するヤーンパッケージの円錐台形状の表面角度αが１３．５°、１５．０°となるように、それぞれボビンに巻き取り、ヤーンパッケージを得た。ヤーンパッケージを立てた状態で固定し、ヤーンをヤーンパッケージの上方に設置されたセンタリングアイを通して、ボビンの軸に対して平行方向にバルーンを形成しながら、毎分１，２００ｍの速さで引き出した。各ヤーンパッケージ１００本を引き出した時に、巻き崩れが発生したヤーンパッケージの本数を測定した。結果を表１に示す。
【００１２】
2004018207.tif 000003
以上のように、本発明の表面角度にすることにより、巻き崩れが発生しないヤーンパッケージが得られた。
【００１３】
【発明の効果】
以上の如き本発明によれば、ヤーンパッケージの高速解舒においても、巻き崩れが生じないヤーンパッケージを提供することができる。
【図面の簡単な説明】
【図１】本発明のヤーンパッケージを説明する図。
【図２】本発明のヤーンパッケージの作製を説明する図であり、図２ａは巻き初めの状態を、そして図２ｂは巻き終りの状態を示す。
【図１】
2004018207.tif 000004
【図２】
2004018207.tif 000005